(57)【要約】【課題】観察者と被照射体との間に配置されて使用される照明装置であって種々の用途に適用可能な照明装置、および当該照明装置を有した照明付き速度計等を提供することである。【解決手段】照明装置５０は、透光性基板６０上に複数の発光素子部１００を備えている。発光素子部１００は発光層と発光層の一方側に遮光層を有している。発光素子部１００の出射光の色が他の発光素子部の出射光の色と異なる発光素子部を含んでいる。【選択図】図１
2008218175.tif 000002
【特許請求の範囲】
【請求項１】
透光性基板上に複数の発光素子部を備えた照明装置であって、
前記発光素子部は発光層と前記発光層の一方側に遮光層を有し、前記発光素子部の出射光の色が他の発光素子部の出射光の色と異なる発光素子部を含むことを特徴とする照明装置。
【請求項２】
請求項１に記載の照明装置であって、
前記透光性基板に設けられ前記発光素子部に電力を供給する電力供給部をさらに備え、
前記電力供給部は複数の電力供給系統を含み、前記出射光の色が異なる発光素子部は前記複数の電力供給系統のうちの異なる系統に接続されていることを特徴とする照明装置。
【請求項３】
請求項１または請求項２に記載の照明装置であって、
前記発光素子部はカラーフィルタを有し、
前記出射光の色が異なる発光素子部は前記カラーフィルタの色が互いに異なることを特徴とする照明装置。
【請求項４】
請求項１ないし請求項３のいずれか１項に記載の照明装置であって、
前記出射光の色が異なる発光素子部は、前記発光層での発光の色が互いに異なることを特徴とする照明装置。
【請求項５】
請求項２ないし請求項４のいずれか１項に記載の照明装置であって、
前記複数の電力供給系統のそれぞれに対する供給電力を制御するコントローラをさらに備えることを特徴とする照明装置。
【請求項６】
請求項２ないし請求項５のいずれか１項に記載の照明装置であって、
前記隣接する発光素子部の間に設けられた絶縁層をさらに備え、
前記絶縁層によって前記複数の電力供給系統のうちの少なくとも一部が互いに絶縁されていることを特徴とする照明装置。
【請求項７】
請求項５に記載の照明装置を備える照明付き速度計であって、
前記コントローラは、計測速度に応じて前記複数の電力供給系統のそれぞれに対する前記供給電力を制御することを特徴とする照明付き速度計。
【請求項８】
請求項１ないし請求項６のいずれか１項に記載の照明装置を備えることを特徴とする照明付き計器。
【請求項９】
請求項１ないし請求項６のいずれか１項に記載の照明装置を備えることを特徴とする照明付き表示装置。
【請求項１０】
請求項１ないし請求項６のいずれか１項に記載の照明装置を備えることを特徴とする照明付き時計。
【発明の詳細な説明】
【技術分野】
【０００１】
本発明は、照明装置、照明付き速度計、照明付き計器、照明付き表示装置、および照明付き時計に係り、特に観察者と被照射体との間に配置されて使用される照明装置、ならびに当該照明装置を有した照明付き速度計、照明付き計器、照明付き表示装置、および照明付き時計に関する。
【背景技術】
【０００２】
反射型の液晶表示装置には、外光が不十分な環境下での使用のために、液晶パネルを前面から照らすフロントライト装置を有するものがある。また、このフロントライト装置に用いられる照明装置として、有機エレクトロルミネッセンス（ＥＬ）素子を有したものがある（特許文献１，２参照）。この照明装置は液晶パネルの前面に対向配置され、上記有機ＥＬ素子は例えば格子状に発光するように形成されている。
【０００３】
【特許文献１】特開２００６−１５４４０２号公報
【特許文献２】特開２０００−２６７０９７号公報
【発明の開示】
【発明が解決しようとする課題】
【０００４】
液晶表示装置のフロントライト装置として用いられる照明装置は、その用途から、出射光が白色のものである。しかし、観察者と被照射体との間に配置されて被照射体を照明するという使用形態に鑑みれば、上記照明装置には、液晶表示装置だけでなく、種々の用途への適用が考えられる。
【０００５】
本発明の目的は、観察者と被照射体との間に配置されて使用される照明装置であって種々の用途に適用可能な照明装置を提供すること、ならびに当該照明装置を有した照明付き速度計、照明付き計器、照明付き表示装置、および照明付き時計を提供することである。
【課題を解決するための手段】
【０００６】
本発明に係る照明装置は、透光性基板上に複数の発光素子部を備えた照明装置であって、前記発光素子部は発光層と前記発光層の一方側に遮光層を有し、前記発光素子部の出射光の色が他の発光素子部の出射光の色と異なる発光素子部を含むことを特徴とする。上記構成によれば、照明装置全体としての出射光すなわち照明光の色を種々に設定可能である。このため、種々の用途に適用可能な照明装置を提供することができる。
【０００７】
また、前記透光性基板に設けられ前記発光素子部に電力を供給する電力供給部をさらに備え、前記電力供給部は複数の電力供給系統を含み、前記出射光の色が異なる発光素子部は前記複数の電力供給系統のうちの異なる系統に接続されていることが好ましい。上記構成によれば、電力供給系統ごとの制御によって、出射光の色が異なる発光素子部を互いに独立に制御することが可能である。これにより、照明光の色を種々に設定することができる。
【０００８】
また、前記発光素子部はカラーフィルタを有し、前記出射光の色が異なる発光素子部は前記カラーフィルタの色が互いに異なることが好ましい。上記構成によれば、発光素子部の出射光の色を異ならせることができる。
【０００９】
また、前記出射光の色が異なる発光素子部は、前記発光層での発光の色が互いに異なることが好ましい。上記構成によれば、発光素子部の出射光の色を異ならせることができる。
【００１０】
また、前記複数の電力供給系統のそれぞれに対する供給電力を制御するコントローラをさらに備えることが好ましい。上記構成によれば、照明光の強度等を調整することができる。
【００１１】
また、前記隣接する発光素子部の間に設けられた絶縁層をさらに備え、前記絶縁層によって前記複数の電力供給系統のうちの少なくとも一部が互いに絶縁されていることが好ましい。上記構成によれば、簡便に電源供給系統を複数にすることができる。
【００１２】
本発明に係る照明付き速度計は、前記照明装置を備える照明付き速度計であって、前記コントローラは、計測速度に応じて前記複数の電力供給系統のそれぞれに対する前記供給電力を制御することを特徴とする。上記構成によれば、計測速度に応じて照明光の色等が変化する。このため、例えば速度超過等の認知性を向上可能である。
【００１３】
本発明に係る照明付き計器は、前記照明装置を備えることを特徴とする。上記構成によれば、計器について表示の認知性を向上可能である。
【００１４】
本発明に係る照明付き表示装置は、前記照明装置を備えることを特徴とする。上記構成によれば、表示装置について表示の認知性を向上可能である。
【００１５】
本発明に係る照明付き時計は、前記照明装置を備えることを特徴とする。上記構成によれば、時計について表示の認知性を向上可能である。
【発明を実施するための最良の形態】
【００１６】
以下に、本発明に係る実施の形態について図面を用いて説明する。
【００１７】
図１に、実施の形態に係る照明装置５０を説明する模式図を示す。照明装置５０は被照射体と観察者との間に配置されて使用される装置であり、観察者は照明装置５０を通して被照射体を観察する。
【００１８】
照明装置５０は、透光性基板６０と、複数の発光素子部１００と、当該複数の発光素子部へ電力を供給する、すなわち各発光素子部１００へ電力を供給する電力供給部７００とを含んでいる。
【００１９】
透光性基板６０は、例えばガラス板等で構成可能である。ここでは、透光性基板６０の主面が長方形の場合を例示するが、当該基板６０の形状はこれに限られるものではない。透光性基板６０の一方の主面側に、複数の発光素子部１００および電力供給部７００が設けられている。
【００２０】
発光素子部１００は互いに間隔をあけて透光性基板６０に分散して設けられている。換言すれば、複数の発光素子部１００は透光性基板６０の主面の平面視において平面的に配列されている（二次元配列されている）。このため、照明装置５０によれば、被照射体は面状に照らされる。ここでは、複数の発光素子部１００が透光性基板６０の長辺および短辺に平行に整列してマトリクス配列された場合を例示する。但し、発光素子部１００の配列形態は、この例示に限られるものではない。なお、透光性基板６０の長辺および短辺を「基板長辺」および「基板短辺」とそれぞれ表現することにする。
【００２１】
上記複数の発光素子部１００は、出射光が赤色（Ｒ）の発光素子部１００と、出射光が緑色（Ｇ）の発光素子部１００と、出射光が青色（Ｂ）の発光素子部１００とを含んでいる。但し、発光素子部１００の出射光の色および数は当該例示に限られるものではない。なお、図１中の「Ｒ」、「Ｇ」および「Ｂ」はその発光素子部１００の出射光の色を表している。また、以下の説明では、例えば出射光が赤色の発光素子部１００を「Ｒの発光素子部１００」のように表現する。
【００２２】
ここでは、基板長辺に平行な方向にＲ、ＧおよびＢの発光素子部１００が繰り返し配列され、基板短辺に平行な方向には出射光の色が同じである発光素子部１００が配列されている場合を例示する。なお、基板短辺に平行に配列された発光素子部１００の各列を「発光素子部列１１０」と呼ぶことにする。例示の配列では、Ｒの発光素子部列１１０と、Ｇの発光素子部列１１０と、Ｂの発光素子部列１１０とが、これらの列１１０に交差する（ここでは直交する）方向に繰り返し並んでいる。なお、隣接する発光素子部列１１０のピッチは例えば２００μｍである。但し、各色の発光素子部１００の配列は、当該例示に限られるものではない。例えば、Ｒ、ＧおよびＢの発光素子部列１１０を基板長辺に平行に構成することも可能である。
【００２３】
各発光素子部１００は、薄膜発光素子、例えば有機エレクトロルミネッセンス（ＥＬ）素子を利用して構成可能である。発光素子部１００の例は後述する。
【００２４】
電力供給部７００は、配線７２，７４，７６，７８を含んでいる。配線７６は、ここでは３本在り、それぞれを区別する場合は符号７６−１，７６−２，７６−３を用いることにする。
【００２５】
配線７２，７４は対を成して発光素子部列１１０のそれぞれに設けられており、各発光素子部列１１０において配線７２，７４間に発光素子部１００が並列接続されている。図示の例では、配線７２，７４は基板短辺に平行に延伸している。配線７２はそれぞれ、発光素子部１００の配置範囲を越えて一方の基板長辺側へ延伸し、発光素子部１００の配置範囲の外側の周辺領域において配線７６に接続されている。また、これに対して、配線７４はそれぞれ、発光素子部１００の配置範囲を越えて他方の基板長辺側へ延伸し周辺領域において配線７８に接続されている。換言すれば、配線７６から各配線７２が分岐し、配線７８から各配線７４が分岐している。
【００２６】
配線７６は、図示の例では、周辺領域に配置されており、基板長辺に平行に延伸し一方の基板短辺付近に一端が設けられている。当該一端を介して配線７６にはプラス（＋）電位が供給される。配線７８は、図示の例では、周辺領域に配置されており、基板長辺に平行に延伸し上記一方の基板短辺付近から当該基板短辺に平行に延伸し、配線７６の上記一端付近に一端が設けられている。配線７８の当該一端を介して配線７８にはマイナス（−）電位が供給される。
【００２７】
なお、図中では配線７２，７４，７６，７８を直線状に例示しているが、これらの配線７２，７４，７６，７８の形状（平面パターン）はこれに限られるものではない。例えば、局所的に屈曲した形状であってもよい。また、配線７６，７８の上記一端の配置位置は上記の例示に限られるものではない。
【００２８】
照明装置５０では、３本の配線７６において、第１の配線７６−１はＲの発光素子部列１１０の配線７２と接続され、第２の配線７６−２はＧの発光素子部列１１０の配線７２と接続され、第３の配線７６−３はＢの発光素子部列１１０の配線７２と接続されている。なお、配線７６−１，７６−２，７６−３の配列順序は図示の例に限られるものではない。
【００２９】
このため、照明装置５０では、第１の配線７６−１と、Ｒの発光素子部１００に接続された配線７２，７４と、配線７８とによって、Ｒの発光素子部１００のそれぞれへ電力を供給する第１の電力供給系統７０−１が構成されている。また、第２の配線７６−２と、Ｇの発光素子部１００に接続された配線７２，７４と、配線７８とによって、Ｇの発光素子部１００のそれぞれへ電力を供給する第２の電力供給系統７０−２が構成されている。また、第３の配線７６−３と、Ｂの発光素子部１００に接続された配線７２，７４と、配線７８とによって、Ｂの発光素子部１００のそれぞれへ電力を供給する第３の電力供給系統７０−３が構成されている。なお、各電力供給系統７０−１，７０−２，７０−３を区別しない場合には符号７０を用いることにする。
【００３０】
すなわち、複数の発光素子部１００は３つの電力供給系統７０−１，７０−２，７０−３に分散して設けられており、Ｒ、ＧおよびＢの発光素子部１００は異なる電力供給系統７０−１，７０−２，７０−３に接続されている。
【００３１】
配線７２，７４は、発光素子部１００の配置範囲に配置されているので、いずれも透光性導電材料で構成することが好ましく、例えばＩＴＯ（Indium  Tin  Oxide）、ＩＺＯ（Indium  Zinc  Oxide）等で構成可能である。配線７２，７４を透光性の導電材料で構成することによって、発光素子部１００から出射し被照射体で反射した光をより多く観察者側へ導くことが可能である。すなわち、透過率が向上する。
【００３２】
配線７６，７８も透光性導電材料で構成することが可能であり、これによれば透過率が向上する。また、配線７６，７８を周辺領域に配置する場合には、透過率への影響が小さいと考えられるので、遮光性の導電材料で配線７６，７８を構成することも可能である。例えば銅（Ｃｕ）等の金属を適用可能である。銅等の金属によれば、ＩＴＯ等よりも導電率が高いので、電力損失を低減することができる。すなわち、照明装置５０の消費電力を低減することができる。
【００３３】
図２に、発光素子部１００およびその付近の拡大平面図を示す。また、図３に、図２中の３−３線における断面図を示す。ここでは、発光素子部１００が有機ＥＬ素子を含んで構成される場合を例示する。また、発光素子部１００からの出射光Ａが透光性基板６０を通して取り出される構造（いわゆるボトム・エミッション（bottom  emission）型）を例示する。
【００３４】
発光素子部１００は、透光性基板６０の上記一方主面の側に、カラーフィルタ１５２と、陽極７２ａと、発光層１６０と、陰極１７０と、遮光層１７２とを含んでいる。
【００３５】
カラーフィルタ１５２は、発光層１６０での発光を着色して発光素子部１００の出射光Ａの色を規定する。このため、発光素子部１００ごとに、出射光Ａの色に応じた色のカラーフィルタ１５２が設けられる。すなわち、カラーフィルタ１５２の色の違いによって、発光素子部１００の出射光Ａの色を異ならせることができる。カラーフィルタ１５２は、各発光素子部１００の位置に局所的に設けられており、ここでは透光性基板６０の上記主面上に配置されている。
【００３６】
陽極７２ａはカラーフィルタ１５２上に配置され、発光層１６０は陽極７２ａ上に配置されている。陽極７２ａは例えばＩＴＯ、ＩＺＯ等で構成可能である。ここで、発光素子部１００では、配線７２がカラーフィルタ１５２上を通って配置されており、配線７２の一部を利用して陽極７２ａが構成されている。すなわち、発光層１６０は配線７２を介してカラーフィルタ１５２に対向して配置されており、配線７２は発光層１６０との接触部分において陽極７２ａを構成している。発光層１６０は例えば正孔輸送層と有機発光層と電子輸送層とが積層された構成を有し、当該各層の材料によって発光層１６０での発光色が規定される。ここでは、全ての発光素子部１００について発光層１６０が同じ材料、例えば白色（Ｗ）を発光する材料で構成されている場合を例示する。なお、発光層１６０の上記各層は公知の各種材料を適用可能であり、ここでは詳細な説明は省略する。
【００３７】
陰極１７０は、発光層１６０上と配線７４上とを覆って配置されている。これにより、発光層１６０と配線７４とが接続されている。陰極１７０は、例えばアルミニウム（Ａｌ）で構成され、マグネシウム−銀合金（Ｍｇ−Ａｇ合金）、リチウム−アルミニウム合金（Ｌｉ−Ａｌ合金）、マグネシウム−インジウム合金（Ｍｇ−Ｉｎ合金）、金（Ａｕ）、銀（Ａｇ）等で構成することも可能である。
【００３８】
陰極１７０は、発光層１６０での発光に対して遮光層として機能することが好ましい。これによれば、発光層１６０での発光が透光性基板６０とは反対側すなわち観察者側へ出射されるのを防止することができる。例えば上記例示の材料によれば、陰極１７０を遮光層として機能させることが可能である。
【００３９】
また、陰極１７０は、発光層１６０での発光に対して反射層として機能することが好ましい。これによれば、発光層１６０での発光が透光性基板６０側へ反射され、発光素子部１００からの出射光Ａの強度（または光量）を相対的に大きくすることができる。例えば上記例示の材料によれば、陰極１７０を反射層として機能させることが可能である。
【００４０】
遮光層１７２は、陰極１７０上に配置されており（図３参照）、陰極１７０の全体に重なっている（図２参照）。遮光層１７２は、発光層１６０での発光が陰極１７０を透過して観察者に観察されるのを防止する。また、遮光層１７２は、外光が陰極１７０で反射して観察者に観察されるのを防止し、この意味においては反射防止層として機能する。遮光層１７２は、例えば酸化クロム、黒色顔料を含有した各種樹脂等によって構成可能である。この例示の材料によれば、上記の遮光機能と反射防止機能との両方を実現可能である。
【００４１】
照明装置５０は、図３に示すように、透光性基板６０の上記一方主面の側に、絶縁層１５４と、封止層１７４とを含んでいる。
【００４２】
絶縁層１５４は、陰極１７０と透光性基板６０との間、隣接する発光素子部１００の間等に設けられている。絶縁層１５４は、透光性の絶縁材料、例えば酸化シリコンで構成可能である。絶縁層１５４は単層構造であってもよいし、多層構造であってもよい。
【００４３】
ここで、図４に配線７２と配線７６との交差部分（図１中の破線の円で囲んだ部分を参照）の断面図を示す。なお、図４には配線７２の延伸方向に直交する断面を図示している。上記のように３本の配線７６は上記一方の基板長辺付近に集められており、それぞれ所定の配線７２に接続されている。このため、配線７２と配線７６とに交差が生じうる。当該交差部分では、絶縁層１５４を層間絶縁膜として利用することによって、配線７２，７６を絶縁している。これにより、簡便に電源供給系統を複数にすることができる。配線７２，７６間の絶縁層１５４は、交差部分ごとに設けてもよいし、複数の交差部分にわたって設けてもよい。
【００４４】
封止層１７４は、発光素子部１００、配線７２，７４，７６，７８等を覆っている。封止層１７４は、透光性の絶縁材料、例えば低温プロセスによる窒化シリコン、エポキシ系等の各種樹脂等によって構成可能である。封止層１７４は単層構造であってもよいし、多層構造であってもよい。
【００４５】
なお、封止層１７４上に透光性基板をさらに配置して、当該基板と透光性基板６０とによって発光素子部１００等を挟む構成にしてもよい。
【００４６】
照明装置５０は、コントローラ９０を含んで構成することが可能である。なお、図１には説明のために電源４０を図示しているが、電源４０を含めて照明装置５０を構成することも可能である。また、コントローラ９０は電源４０に内蔵させてもよい。
【００４７】
コントローラ９０は、電源４０の出力端と照明装置５０の配線７６−１，７６−２，７６−３，７８との間に接続されている。これにより、電源４０からの出力はコントローラ９０を介して照明装置５０の各電力供給系統７０−１，７０−２，７０−３へ供給される。コントローラ９０は各電力供給系統７０−１，７０−２，７０−３への供給電力量をそれぞれ調整可能に構成されている。なお、発光素子部１００は有機ＥＬ素子を利用しているので、供給電力量は、供給電流量に対応する。
【００４８】
なお、図１ではコントローラ９０を１つ図示しているが、例えば電力供給系統７０ごとにコントローラを設けてもよく、この場合は当該３つのコントローラによって上記コントローラ９０が構成される。
【００４９】
照明装置５０全体としての出射光すなわち照明光は、各発光素子部１００の出射光Ａの集合によって構成される。照明装置５０では、照明光を、Ｒ、ＧおよびＢの各色ならびにＲ、ＧおよびＢのうちの複数色を合成（混色）した色に設定可能である。
【００５０】
照明装置５０では、複数の発光素子部１００は３つの電力供給系統７０−１，７０−２，７０−３に分散して設けられている。このため、各電力供給系統７０−１，７０−２，７０−３の選択によって、電力供給系統７０ごとに（電力供給系統７０の単位で）発光素子部１００を互いに独立に点灯させることができる。ここで、電力供給系統７０−１，７０−２，７０−３には、出射光Ａの色が異なる発光素子部１００が接続されている。このため、電力供給系統７０−１，７０−２，７０−３の選択によって、Ｒ、ＧおよびＢの発光素子部１００を互いに独立に点灯させることができる。つまり、電力供給系統７０−１，７０−２，７０−３を１つ以上選択することによって、照明光の色を種々に設定することができる。
【００５１】
電力供給系統７０−１，７０−２，７０−３の選択は、コントローラ９０による電力供給によって可能である。例えば、供給電力量を発光素子部１００の発光しきい値以上に制御することによって、その電力供給系統７０を選択状態にすることができる。また、供給電力量を発光しきい値以下に制御することによって、その電力供給系統７０を非選択状態にすることができる。
【００５２】
ここで、供給電力量の制御によれば、発光素子部１００の出射光Ａの強度調整（調光）を電力供給系統７０ごとに行うことができる。このため、例えば、供給電力量を全ての電力供給系統７０で同様の割合で変化させることによって、照明光を調光することができる。また、例えば、供給電力量を各電力供給系統７０で独立に制御することによって、照明光の色を調整することができる。
【００５３】
図５に、照明装置５０を各種の機器３０に適用した照明付き機器２００を説明する模式図を示す。機器３０は、例えば計器、表示装置、時計等で構成可能であり、本体部３２と表示部３４とを含んでいる。
【００５４】
計器の例として速度計、燃料計、電圧計、電流計、圧力計、流量計等が挙げられる。計器は、例えば電気テスターのようにそれ単体で使用可能なものであってもよいし、例えば自動車、電車等の車両に装備される速度計等のように各種の装置・設備に組み込まれて使用されるものであってもよい。計器の本体部３２とは、計測を行う機構等が相当する。計器の表示部３４とは、計測結果等の情報を表示する計器盤が相当する。計器の表示部３４における表示形式は例えば、指針による形式であってもよいし、数値を文字、数字、記号、図形等で表示する形式であってもよい。
【００５５】
表示装置の例として液晶表示装置、電気泳動表示装置、プラズマディスプレイ装置等が挙げられ、自発光型と非自発光型とのいずれであってもよい。表示装置の表示部３４とは、動画、静止画、文字、数字、記号、図形等の各種情報が表示される表示面が相当する。表示装置の本体部３２とは、上記表示面を構成する画素、当該画素を駆動する回路等が相当する。
【００５６】
時計の例として腕時計、置き時計、掛け時計等が挙げられる。時計には、時刻を示すものだけでなく、時間を計るもの（いわゆるストップ・ウオッチ等）も含まれるものとする。時計の本体部３２とは、計時機構等が相当する。時計の表示部３４とは、時刻等の情報を表示する部分が相当し、例えばアナログ時計の文字盤が相当する。時計の表示部３４における表示形式は例えば、指針による形式であってもよいし、数値を文字、数字、記号、図形等で表示する形式であってもよい。
【００５７】
照明装置５０は、表示部３４に対向配置されている。これにより、照明装置５０の照明光Ｃによって、表示部３４が照明される。すなわち、表示部３４が被照射体に相当する。観察者は照明装置５０を通して表示部３４を観察する（矢印Ｐを参照）。なお、図５では照明装置５０が表示部３４から離して配置される場合を例示しているが、照明装置５０を表示部３４に接触させて配置してもよい。
【００５８】
上記のように照明装置５０は照明光Ｃの色を種々に調整できるので、種々の用途、例えば上記に例示した計器、表示装置、時計に適用可能である。また、照明装置５０を有する照明付き機器２００によれば、表示部３４での表示内容の認知性を向上可能である。
【００５９】
図６に、照明付き機器の他の例を説明する模式図を示す。この照明付き機器２０２は上記機器２００においてコントローラ９０が本体部３２にも接続された構成を有している。本機器２０２では、コントローラ９０が本体部３２からの情報に基づいて各電力供給系統７０−１，７０−２，７０−３への供給電力量を制御可能に構成されている。なお、かかる制御は例えば各種の演算処理回路を利用することによって可能である。
【００６０】
照明付き機器２０２によれば、表示部３４での表示内容と照明装置５０の照明光Ｃの色とを連動させることができる。例えば、機器３０が車両の速度計である場合、計測速度値を表示部３４に表示するとともに、計測速度値に応じて照明光Ｃの色を変化させることが可能である。これにより例えば、車両速度が所定値を超えている旨、車両速度が経済的速度である旨等について、観察者の認知性を向上させることが可能である。なお、照明光Ｃの色に替えてまたは加えて、照明光Ｃの光強度を変化させてもよい。
【００６１】
図７に発光素子部の他の例を説明する断面図を示す。この発光素子部１０２は上記発光素子部１００からカラーフィルタ１５２を取り除いた構成を有している。このため、陽極７２ａは透光性基板６０上に配置されている。また、発光素子部１０２は、上記発光素子部１００の発光層１６０を発光層１６２に替えた構成を有している。発光層１６２は例えばＲ、ＧまたはＢの色の光を発光し、これによりＲ、ＧおよびＢの各発光素子部１０２が構成される。すなわち、発光層１６２の発光色の相違によって、発光素子部１０２の出射光Ａの色を異ならせることができる。Ｒ、ＧまたはＢの色の光を発光する材料は公知の各種材料を適用可能であり、ここでは詳細な説明は省略する。
【００６２】
上記ではボトム・エミッション型の発光素子部１００，１０２を例示したが、いわゆるトップ・エミッション（top  emission）型の発光素子部を照明装置５０に適用することも可能である。トップ・エミッション型では、透光性基板６０とは反対側から、発光素子部の出射光Ａが取り出される。このため、トップ・エミッション型の照明装置５０は、封止層１７４を被照射体に向けて配置される。以下に、トップ・エミッション型の発光素子部１０４，１０６を例示する。
【００６３】
図８に発光素子部１０４を説明する断面図を示す。発光素子部１０４は、遮光層１７２と、反射層１７６と、配線７２を利用した陽極７２ａと、発光層１６０と、陰極１７０と、カラーフィルタ１５２とを含んでいる。なお、上記発光素子部１００，１０２と同様の要素には同一の符号を付し、詳細な説明はここでは省略する。
【００６４】
遮光層１７２は、発光素子部１０４では、透光性基板６０上に配置されている。遮光層１７２上に反射層１７６が配置されている。配線７２は反射層１７６上を通って延伸し、配線７４は遮光層１７２上を通って延伸している。発光素子部１０４の遮光層１７２は絶縁性材料で構成される。
【００６５】
反射層１７６は、発光層１６０での発光を透光性基板６０とは反対側へ反射する。これにより、発光素子部１０４からの出射光Ａの強度を相対的に大きくすることができる。反射層１７６は、例えばアルミニウム（Ａｌ）、クロム（Ｃｒ）、ニッケル（Ｎｉ）、Ｍｏ（モリブデン）、金（Ａｕ）、銀（Ａｇ）等で構成可能である。
【００６６】
反射層１７６は、発光層１６０での発光に対して遮光層として機能することが好ましい。これによれば、反射層１７６によって、または、遮光層１７２との組み合わせによって、遮光性能を向上させることが可能である。上記例示の材料によれば、遮光機能を実現可能である。
【００６７】
陽極７２ａを兼ねた配線７２はＩＴＯ等で形成され、配線７２による陽極７２ａ上に発光層１６０が配置されている。発光層１６０上と配線７４上とにわたって陰極１７０が配置されている。陰極１７０は遮光層１７２の配置範囲内に配置されている。発光素子部１０４では、発光層１６０での発光を陰極１７０を通して取り出すため、陰極１７０は透光性を有して構成されている。上記に例示した陰極材料についても例えば層厚の制御によって透光性膜を構成することは可能である（いわゆる半透過膜）。カラーフィルタ１５２は、発光層１６０に対向して陰極１７０上に配置されている。発光素子部１０４では、カラーフィルタ１５２の色によって出射光Ａの色を異ならせている。
【００６８】
図９に発光素子部１０６を説明する断面図を示す。発光素子部１０６は、上記発光素子部１０４においてカラーフィルタ１５２を取り除き発光層１６０を発光層１６２に替えた構成を有している。発光素子部１０６では、発光層１６２の発光色の色によって出射光Ａの色を異ならせている。
【００６９】
なお、カラーフィルタ１５２と例えばＲ、ＧまたはＢの発光層１６２とを組み合わせることも可能である。
【００７０】
図１０に照明装置の他の例を説明する平面図を示す。この照明装置５２は、上記照明装置５０において発光素子部１００を発光素子部１０８に替えた構成を有している。全ての発光素子部１０８が同じ色の光、例えば白色（Ｗ）の光を出射する。発光素子部１０８は、例えば上記発光素子部１０２，１０６（図７および図９参照）の発光層１６２をＷの発光層１６０に替えることによって構成可能である。なお、出射光の色は白色以外であってもよい。
【００７１】
照明装置５２によれば、任意の１つの電力供給系統７０のみに電力を供給する場合と、任意の２つの電力供給系統７０に同時に電力を供給する場合と、全ての電力供給系統７０に同時に電力を供給する場合との３段階の階調で調光可能である。すなわち、電力供給系統７０−１，７０−２，７０−３の選択の仕方によって、照明装置５２の照明光を調光することが可能である。
【００７２】
照明装置５２は、照明装置５０に替えて上記照明付き機器２００，２０２（図５および図６参照）に適用可能である。
【００７３】
機器２００に適用した場合、電力供給系統７０の選択と選択した電力供給系統７０への供給電力量の制御との組み合わせによって、調光の階調数を上記３段階よりも増やすことが可能である。
【００７４】
機器２０２に適用した場合、表示部３４での表示内容と照明装置５２の照明光の強度とを連動させることが可能である。例えば、計測速度値を表示部３４に表示するとともに計測速度値に応じて照明光Ｃを調光することによって、車両速度が所定値を超えている旨等について、観察者の認知性を向上させることが可能である。
【００７５】
ここでは電力供給系統７０が３系統である場合を例示したが、当該電力供給系統７０の数はこれに限られるものではない。すなわち、電力供給系統７０の数によって、当該系統７０の選択による階調数を種々に設定可能である。この点に鑑みれば、上記のカラー照明装置５０において各色用の電力供給系統７０−１，７０−２，７０−３をそれぞれ複数にすることも可能である。これにより、電力供給系統７０の選択による調光を各色について実施することができる。
【００７６】
ここで、照明装置５０，５２では配線７８を３つの電力供給系統７０で共有する場合を例示したが、各電力供給系統７０−１，７０−２，７０−３のそれぞれに配線７８を設けてもよい。この場合、各電力供給系統７０は互いに独立した構成になる。
【００７７】
また、発光素子部１００等を、有機ＥＬ素子に替えて、無機ＥＬや発光ダイオード（ＬＥＤ）等の他の発光素子で構成することも可能である。
【００７８】
また、上記では各発光素子部１００等がドット状である場合を例示した。これに対して、例えば、一対の配線７２，７４に対して設けられた複数の発光素子部１００等を繋げることによって、ライン状（線状）の発光素子部を形成してもよい。
【００７９】
また、照明装置５０，５２は例えば書類等の上に載せることによって当該書類等を照らす場合にも利用可能である。
【図面の簡単な説明】
【００８０】
【図１】実施の形態について、照明装置を説明する模式図である。
【図２】実施の形態について、発光素子部を説明する平面図である。
【図３】図２中の３−３線における断面図である。
【図４】実施の形態について、照明装置を説明する断面図である。
【図５】実施の形態について、照明付き機器を説明する模式図である。
【図６】実施の形態について、照明付き機器の第２例を説明する模式図である。
【図７】実施の形態について、発光素子部の第２例を説明する断面図である。
【図８】実施の形態について、発光素子部の第３例を説明する断面図である。
【図９】実施の形態について、発光素子部の第４例を説明する断面図である。
【図１０】実施の形態について、照明装置の第２例を説明する平面図である。
【符号の説明】
【００８１】
５０，５２  照明装置、６０  透光性基板、７０，７０−１，７０−２，７０−３  電力供給系統、９０  コントローラ、１００，１０２，１０４，１０６，１０８  発光素子部、１５２  カラーフィルタ、１５４  絶縁層、１６０，１６２  発光層、１７２  遮光層、２００，２０２  照明付き機器、７００  電力供給部、Ａ  出射光。
【図１】
2008218175.tif 000003
【図２】
2008218175.tif 000004
【図３】
2008218175.tif 000005
【図４】
2008218175.tif 000006
【図５】
2008218175.tif 000007
【図６】
2008218175.tif 000008
【図７】
2008218175.tif 000009
【図８】
2008218175.tif 000010
【図９】
2008218175.tif 000011
【図１０】
2008218175.tif 000012